(57)【特許請求の範囲】
【請求項１】
透液性の表面シートと裏面シートとの間に吸収要素が介在される本体部分の後側両側部にそれぞれ後部フラップが形成され、かつ前記裏面シート側にズレ止め粘着剤層が形成された吸収性物品であって、
前記ズレ止め粘着剤層は、前記吸収性物品を個装する際の前記後部フラップの折り線又は前記後部フラップの前側基端点から吸収性物品の長手方向に沿って引いた仮想線を跨ぐように前記本体部分から後部フラップにかけて形成される左右一対の後部フラップ用粘着剤層を含み、
前記左右一対の後部フラップ用粘着剤層は、その間隔が前記吸収性物品の後側に向けて両側に漸次拡大する配向方向で形成されていることを特徴とする吸収性物品。
【請求項２】
前記吸収性物品には、表面シートの表面側から長手方向中心線上の位置を基点として後側に向けて両側に漸次拡大する略逆Ｖ字形状部分を有する臀部溝対応エンボスが付与され、
前記後部フラップ用粘着剤層は、長手方向中心線を境に同じ側に形成される前記臀部溝対応エンボスの略逆Ｖ字形状部分とほぼ平行に形成されている請求項１記載の吸収性物品。
【請求項３】
前記後部フラップの前側基端点は、前記臀部溝対応エンボスの長手方向中心線上の基点を通る幅方向に沿って引いた仮想線の線上の近傍又はこれより後側に位置させている請求項２記載の吸収性物品。
【請求項４】
前記後部フラップ用粘着剤層は、前記本体部分から後部フラップにかけて連続的又は離散的に形成されている請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは後側部分のヨレやズレの発生を無くし経血等の漏れを防止するとともに、装着感の維持を図った吸収性物品に関する。
【背景技術】
【０００２】
従来より、生理用ナプキン、パンティーライナー、失禁パッド等の吸収性物品として、ポリエチレンシートまたはポリエチレンラミネート不織布などの不透液性裏面シートと、不織布または透液性プラスチックシートなどの透液性表面シートとの間に綿状パルプなどからなる吸収体を含む吸収要素が介在される本体部分の後側両側部に、それぞれ前記吸収要素が介在しない後部フラップが形成されたものが知られている。
【０００３】
近年では、この種の吸収性物品として、装着感の向上などを目的として薄型化・スリム化されたものが開発されている。
【０００４】
ところが、このようなスリム化された吸収性物品では、長時間の歩行や激しい運動などによって吸収性物品のズレやヨレが少なからず生じ、特に後側部分では吸収体が介在しない後部フラップのズレやヨレが頻繁に生じていた。この後側部分のズレやヨレは経血等の後漏れの原因となっていた。
【０００５】
このため、下着に対する固定性を高めることによってズレやヨレを防止しようとした種々の形態の吸収性物品が提案されている。例えば下記特許文献１では、後方フラップ部の着衣側表面には感圧接着剤層が設けられており、この感圧接着剤層は、後方フラップ部の半幅寸法が最大となる位置にその一部が存在していることによって、この最大幅部の内側が感圧接着剤層で下着にしっかり固定されるため、後方主吸収領域を臀部の溝に対向した状態で動きにくくした生理用ナプキンが開示されている。
【０００６】
また、下記特許文献２では、後部フラップが前方ウイング部と同じ最大延出幅を有し、且つ後部フラップの最大延出幅を有する領域の長手方向側縁が、本体長手方向と平行な直線状になっていることにより、ナプキンの着用時における後部フラップのめくれやヨレの基点となりやすい、後部フラップの後方端部に、大きな面積を有する後部粘着部を配することが可能となるため、粘着部による後部フラップの着衣に対する固定性が高まり、後部フラップによる液漏れ防止効果を安定的に発揮させるようにした吸収性物品が開示されている（特許文献２の段落［0016］参照）。
【先行技術文献】
【特許文献】
【０００７】
【特許文献１】特開２００９−５５９号公報
【特許文献２】特開２００９−１１８８７７号公報
【発明の概要】
【発明が解決しようとする課題】
【０００８】
しかしながら、上記特許文献１、２記載の生理用ナプキンでは、後部フラップを下着に固定するため下着当接面側に設けられるズレ止め粘着剤層が後部フラップに単独で形成されているため、本体部分と後部フラップとの連動性が図られず、本体部分の身体へのフィット形状と無関係に後部フラップが下着に固定されることによって、本体部分と後部フラップの変形状態の不整合によるあらたなヨレやズレが生じる場合があった。この後側部分のヨレやズレは、経血等の後漏れや装着感の悪化の原因となっていた。
【０００９】
そこで本発明の主たる課題は、後側部分において本体部分と後部フラップとの連動性を図ったズレ止め粘着剤層を設けることにより、後側部分のズレやヨレを無くし経血等の漏れを防止するとともに装着感の向上を図った吸収性物品を提供することにある。
【課題を解決するための手段】
【００１０】
上記課題を解決するために請求項１に係る本発明として、透液性の表面シートと裏面シートとの間に吸収要素が介在される本体部分の後側両側部にそれぞれ後部フラップが形成され、かつ前記裏面シート側にズレ止め粘着剤層が形成された吸収性物品であって、
【００１１】
前記ズレ止め粘着剤層は、前記吸収性物品を個装する際の前記後部フラップの折り線又は前記後部フラップの前側基端点から吸収性物品の長手方向に沿って引いた仮想線を跨ぐように前記本体部分から後部フラップにかけて形成される左右一対の後部フラップ用粘着剤層を含み、
前記左右一対の後部フラップ用粘着剤層は、その間隔が前記吸収性物品の後側に向けて両側に漸次拡大する配向方向で形成されていることを特徴とする吸収性物品
が提供される。
【００１２】
上記請求項１記載の発明では、下着当接面側に形成されるズレ止め粘着剤層のうち左右一対の後部フラップ用粘着剤層として、前記吸収性物品を個装する際の前記後側フラップの折り線又は前記後部フラップの前側基端点から吸収性物品の長手方向に沿って引いた仮想線を跨ぐように前記本体部分から後部フラップにかけて形成したものとしているため、本体部分から後部フラップにかけて後側部分の変形や動きが連続的に行われ連動性が生じ、本体部分が臀部の溝など身体の形状に沿って変形した場合や、後部フラップが身体の動きによって激しく動いた場合でも、本体部分から後部フラップにかけてズレやヨレを生じることなくしっかりと下着に固定されるようになる。従って、経血等の漏れが防止できるとともに装着感の向上が図られるようになる。
【００１３】
また、上記請求項１記載の発明では、左右一対の後部フラップ用粘着剤層をその間隔が前記吸収性物品の後側に向けて両側に漸次拡大する配向方向で形成することにより、後側部分において本体部分から後部フラップにかけて、臀部の動きの基点となる股下部から後側に向けて両側に漸次拡大する放射状に固定されるため、臀部の動きにフィットし易くなり、後側部分のズレやヨレがより効果的に防止できるようになる。
【００１４】
請求項２に係る本発明として、前記吸収性物品には、表面シートの表面側から長手方向中心線上の位置を基点として後側に向けて両側に漸次拡大する略逆Ｖ字形状部分を有する臀部溝対応エンボスが付与され、
【００１５】
前記後部フラップ用粘着剤層は、長手方向中心線を境に同じ側に形成される前記臀部溝対応エンボスの略逆Ｖ字形状部分とほぼ平行に形成されている請求項１記載の吸収性物品が提供される。
【００１６】
上記請求項２記載の発明は、吸収性物品の後側部分を臀部の溝に沿う形状で変形させる臀部溝対応エンボスの形状に適合する配向方向で後部フラップ用粘着剤層を形成することにより、本体部分の変形や動きに合わせて後部フラップまで連続的に変形や動きが生じ、本体部分と後部フラップとの変形や動きの不連続による後側部分のズレやヨレが防止できるようになる。
【００１７】
請求項３に係る本発明として、前記後部フラップの前側基端点は、前記臀部溝対応エンボスの長手方向中心線上の基点を通る幅方向に沿って引いた仮想線の線上の近傍又はこれより後側に位置させている請求項２記載の吸収性物品が提供される。
【００１８】
上記請求項３記載の発明は、臀部溝の股下側の開始位置に対応する臀部溝対応エンボスの長手方向中心線上の基点に対して、後部フラップの前側基端点を、前記基点を通る幅方向に沿って引いた仮想線の線上の近傍又はこれより後側に位置させることにより、後部フラップ及び後部フラップ用粘着剤層を確実に臀部に対応する位置に形成するようにしたものである。
【００１９】
請求項４に係る本発明として、前記後部フラップ用粘着剤層は、前記本体部分から後部フラップにかけて連続的又は離散的に形成されている請求項１〜３いずれかに記載の吸収性物品が提供される。
【００２０】
上記請求項４記載の発明は、後部フラップ用粘着剤層を本体部分から後部フラップにかけて形成するパターンとして、帯状などの連続的パターンや、ドット状などの離散的パターンなどとしたものである。
【発明の効果】
【００２１】
以上詳説のとおり本発明によれば、後側部分のズレやヨレを無くし経血等の漏れを防止するとともに、装着感の向上を図った吸収性物品が提供できるようになる。
【図面の簡単な説明】
【００２２】
【図１】本発明に係る生理用ナプキン１の一部破断展開図である。
【図２】その裏面図である。
【図３】後部フラップ用粘着剤層２２の形成パターン（その１）である。
【図４】後部フラップ用粘着剤層２２の形成パターン（その２）である。
【図５】後部フラップ用粘着剤層２２の形成パターン（その３）である。
【図６】後部フラップ用粘着剤層２２の形成パターン（その４）である。
【図７】後部フラップ用粘着剤層２２の形成パターン（その５）である。
【図８】生理用ナプキン１の個装要領（その１）を示す裏面図である。
【図９】生理用ナプキン１の個装要領（その２）を示す平面図である。
【図１０】他の形態例（その１）に係る生理用ナプキン１の裏面図である。
【図１１】他の形態例（その２）に係る生理用ナプキン１の裏面図である。
【発明を実施するための形態】
【００２３】
以下、本発明の実施の形態について図面を参照しながら詳述する。
本発明に係る生理用ナプキン１は、図１及び図２に示されるように、ポリエチレンシート、ポリプロピレンシートなどからなる不透液性の裏面シート２と、経血やおりものなどを速やかに透過させる透液性の表面シート３と、これら両シート２，３間に介在された綿状パルプまたは合成パルプなどからなる吸収体４及びこの吸収体４の形状保持および拡散性向上のために前記吸収体４を囲繞するクレープ紙５を含む吸収要素６と、表面両側部にそれぞれ長手方向に沿って形成されたサイド不織布７，７と、下着当接面側（前記裏面シート２の外面側）に形成されたズレ止め粘着剤層２０〜２２から構成されている。前記吸収要素６が介在される本体部分の周囲において、その上下端縁部では、前記裏面シート２と表面シート３との外縁部がホットメルトなどの接着剤やヒートシール等の接着手段によって接合され、またその両側縁部では吸収体４よりも側方に延出している前記裏面シート２と前記サイド不織布７とがホットメルトなどの接着剤やヒートシール等の接着手段によって接合され、外周に吸収要素６の存在しないフラップ部８が形成されている。
【００２４】
以下、さらに前記生理用ナプキン１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２５】
次いで、前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２６】
前記裏面シート２と表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２７】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２８】
本例のように、吸収体４を囲繞するクレープ紙５を設ける場合には、結果的に表面シート３と吸収体４との間にクレープ紙５が介在することになり、吸収性に優れる前記クレープ紙５によって体液を速やかに拡散させるとともに、これら経血等の逆戻りを防止するようになる。
【００２９】
一方、本生理用ナプキン１の表面側両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とをホットメルトなどの接着剤によって接着し、これらサイド不織布７と不透液性裏面シート２との積層シート部分により、ほぼ排血口部Ｒ１に相当する吸収体側部位置に左右一対のウイング状フラップＷ、Ｗが形成されるとともに、これより臀部側位置に後部フラップＷＢ、ＷＢが形成されている。なお、本生理用ナプキン１において、前記ウイング状フラップＷ、Ｗは任意であり、形成されなくても良い。
【００３０】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗ及び後部フラップＷＢ、ＷＢにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３１】
図１及び図２に示される例では、前記ウイング状フラップＷは、生理用ナプキン１の本体部分から外方に延びる前側外形線と、本体部分から外方に延びる後側外形線とを有し、前記生理用ナプキン１の幅方向線と前記前側外形線との成す角度よりも前記生理用ナプキン１幅方向線と前記後側外形線との成す角度の方が大きく設定された略三角形状の平面形状を有している。また、図示例では前記後側外形線は波状のフリル形状とされている。前記後部フラップＷＢは、前記ウイング状フラップＷとほぼ同形状に形成されるものである。
【００３２】
前記生理用ナプキン１には、図１に示されるように、表面シート３の表面側から所定形状のエンボス１０〜１３が形成されている。前記エンボス１０は、装着時に着用者の排血口部及び会陰部に対応する排血口対応部に形成される排血口対応エンボス１０であり、長手方向中心線ＣＬの両側にそれぞれ、生理用ナプキン１の略長手方向に沿うとともに、ナプキン長手方向中心線側に曲率中心を有する弧状曲線によって形成したものである。なお、この左右一対のエンボス１０、１０は、前端部及び後端部がそれぞれ長手方向中心線の両側に離隔して設けられるとともに、前端部間の離隔幅ＳＦより後端部間の離隔幅ＳＢを狭くしてある。この排血口対応部エンボス１０は、排血口対応部を排血口部Ｒ１及び会陰部Ｒ２に好適にフィットさせるためのものである。
【００３３】
前記エンボス１１は、前記排血口対応部よりナプキン長手方向に離間幅を設けて前側に位置する前側部に形成される前側部エンボス１１であり、前記排血口対応部エンボス１０から離間して、生理用ナプキン１の略幅方向に沿う部分を有する弧状曲線によって形成したものである。この前側部エンボス１１は、前側部で該前側部エンボス１１が可撓軸となって、恥骨周辺の丸みに沿って変形しやすくし、身体の前側に好適にフィットさせるためのものである。
【００３４】
前記エンボス１２、１３はそれぞれ、前記排血口対応部よりナプキン長手方向に離間幅を設けて後側に位置する後側部に形成される臀部溝対応エンボス１２、臀部潰れ対応エンボス１３である。前記臀部潰れ対応エンボス１３は、就寝時の仰向け寝及び横向き寝に臀部の肉が潰れ、この潰れた臀部の肉が股下を通じて排血口側にはみ出るように寄せられ、前記臀部溝領域と排血口対応部との間の両側に丸みを帯びて膨出する臀部潰れ領域に形成されるものであり、前記排血口対応部エンボス１０から離間して、長手方向中心線ＣＬの両側にそれぞれナプキン１の幅方向外側に曲率中心を有する円弧状に形成されるものである。前記臀部溝対応エンボス１２は、臀部の谷間が形成される臀部溝領域に形成されるものであり、長手方向中心線ＣＬ上の位置を基点Ｑとして後側に向けて両側に漸次拡大する略Ｖ字形状部分１２ａを有する形状で形成したものである。前記臀部溝対応エンボス１２及び臀部潰れ対応エンボス１３はそれぞれ、当該エンボスが可撓軸となって、臀部の溝及び臀部潰れに沿って変形しやすくし、身体の後側に好適にフィットさせるためのものである。なお、前記臀部溝対応エンボス１２の基点Ｑは、臀部の溝の股下側の開始点近傍に形成される。
【００３５】
前記臀部溝対応エンボス１２は、長手方向中心線ＣＬに跨って両側に形成されるエンボス線の成す角度θＢが９０°未満、好ましくは６０°〜９０°で形成されることが好ましい。これにより、臀部溝対応エンボス１２を可撓軸として、後側部Ｂを着用者の臀部の谷間に沿う形状で変形させやすくなる。なお、前記臀部溝対応エンボス１２の略逆Ｖ字形状部分１２ａは、長手方向中心線ＣＬから後側に向けて両側に直線状に形成してもよいが、図示例のように、生理用ナプキン１の外方側に曲率中心を有する緩やかな曲線状に形成することが好ましい。また、生理期間中の陰鬱な気分を紛らわせることなどを目的として、その後端部を長手方向中心線ＣＬ側に湾曲させることにより、全体として略ハート形に形成することが好ましい。
【００３６】
また、図１に示される例では、前記臀部溝対応エンボス１２は、略逆Ｖ字形状部分１２ａ、１２ａの先端部が長手方向中心線ＣＬ上で交差せず、離隔して形成してある。これは、前記略逆Ｖ字形状部分１２ａ、１２ａの先端部を長手方向中心線ＣＬ上で連続させた場合に、該略逆Ｖ字形状部分１２ａで囲まれた幅方向中央部の表面側に突出する山形の先端部が鋭角的に成りすぎて、臀部の溝にフィットしすぎることによる違和感を防止したものである。なお、前記略逆Ｖ字形状部分１２ａ、１２ａの先端部が長手方向中心線ＣＬ上で連続するように形成することもできる。
【００３７】
（ズレ止め粘着剤層）
次に、下着当接面側（前記裏面シート２の外面側）に形成されるズレ止め粘着剤層２０〜２２について詳説する。ズレ止め粘着剤層は、図２に示されるように、吸収要素６が介在する本体部分に長手方向に沿って帯状に、図示例では前側に３本、後側に２本で形成される本体用粘着剤層２０、２０…と、ウイング状フラップＷ、Ｗに形成される左右一対のウイング用粘着剤層２１、２１と、本体部分から後部フラップにかけて形成される左右一対の後部フラップ用粘着剤層２２、２２とから構成されている。これらのズレ止め粘着剤層２０〜２２は、下着に対する装着時に、前記本体用粘着剤層２０…及び後部フラップ用粘着剤層２２、２２が下着の肌当接面側（内面側）に止着されるとともに、ウイング用粘着剤層２１、２１がウイング状フラップＷ、Ｗを折り返し線ＲＬ、ＲＬ位置にて反対側に折り返し、下着のクロッチ部分に巻き付けて下着の非肌当接面側（外面側）に止着される。
【００３８】
前記ズレ止め粘着剤層２０〜２２を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフェニル、フタル酸ジブチル、フタル酸ジオクチル等のモノマー可塑剤の他、ビニル重合体やポリエステルのようなポリマー可塑剤が挙げられる。
【００３９】
前記粘着剤層２０〜２２は、生理用ナプキン１の個装時に剥離材によって覆われる（図８参照）。この剥離材としては、ズレ止め粘着剤層２０〜２２に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。この場合、少なくともウイング状フラップＷ、Ｗを覆うウイング用剥離材については、個装状態から開封し個装材を剥離した際に、円滑にウイング状フラップＷ、Ｗを展開できるように可撓性に富むプラスチックシートを用いるのがよい。なお、特別に離型処理をしなくても、実質的に粘着力の低下を招かないものであれば、フィルムそのものであっても、不織布そのものであっても良い。
【００４０】
以下、前記後部フラップ用粘着剤層２２について詳説する。前記後部フラップ用粘着剤層２２は、後部フラップＷＢの前側基端点Ｐから生理用ナプキン１の長手方向に沿って引いた仮想線Ｌ１を跨ぐように本体部分から後部フラップＷＢにかけて形成されている。
【００４１】
前記後部フラップ用粘着剤層２２を本体部分から後部フラップＷＢにかけて形成することにより、本体部分から後部フラップにかけて後側部分の変形や動きが連続的に行われ連動性が生じ、本体部分が臀部の溝など身体の形状に沿って変形した場合や、後部フラップＷＢが身体の動きによって激しく動いた場合でも、本体部分から後部フラップＷＢにかけてズレやヨレを生じることなくしっかりと下着に固定されるようになる。従って、経血等の後漏れが防止できるとともに装着感の向上が図られるようになる。さらに本生理用ナプキン１では、前記後部フラップ用粘着剤層２２が後部フラップＷＢの前側基端点Ｐから生理用ナプキン１の長手方向に沿って引いた仮想線Ｌ１を跨ぐように形成されているため、後部フラップＷＢの基端部から外側に亘る広い範囲を下着に固定することができ、前述のズレやヨレがより効果的に防止できるようになる。
【００４２】
また、前記後部フラップ用粘着剤層２２が跨って形成される基準となる線は、前記仮想線Ｌ１に代えて、生理用ナプキン１を個装する際に後部フラップＷＢを折り畳む折り線ＲＢとしてもよい（図８参照）。
【００４３】
前記左右一対の後部フラップ用粘着剤層２２、２２は、その間隔が生理用ナプキン１の後側に向けて両側に漸次拡大する配向方向で形成されるようにすることが望ましい。これにより、後側部分において本体部分から後側フラップＷＢにかけて、臀部の動きの基点となる股下部から後側に向けて両側に漸次拡大する放射状に固定されるため、臀部の動きにフィットし易くなり、後側部分のズレやヨレがより効果的に防止できるようになる。
【００４４】
このときの後部フラップ用粘着剤層２２の配向方向は、表面側に形成される臀部溝対応エンボス１２の長手方向中心線ＣＬを境に同じ側に形成される略逆Ｖ字形状部分１２ａの配向方向とほぼ平行にすることが好ましい。前記臀部溝対応エンボス１２の略逆Ｖ字形状部分１２ａは、この略逆Ｖ字形状部分１２ａを可撓軸としてナプキン本体部分の後側部分を臀部の溝に沿って変形しやすくするためのものであるから、後部フラップ用粘着剤層２２の配向方向をこの略逆Ｖ字形状部分１２ａの配向方向とほぼ平行にすることにより、本体部分の変形や動きに合わせて後部フラップＷＢまで連続的に変形や動きが生じるようになり、本体部分と後部フラップＷＢとの変形や動きの不連続による後側部分のズレやヨレが防止できるようになる。なお、前記後部フラップ用粘着剤層２２の配向方向と略逆Ｖ字形状部分１２ａの配向方向との角度差は、概ね１０°以内、好ましくは５°以内である。
【００４５】
前記後部フラップＷＢの前側基端点Ｐは、前記臀部溝対応エンボス１２の長手方向中心線ＣＬの基点Ｑを通る幅方向に沿って引いた仮想線Ｌ２の線上の近傍又はこれより後側に位置させることが好ましい。前述の通り臀部溝対応エンボス１２の基点Ｑは、臀部の溝の股下側の開始点近傍に形成されるため、この基点Ｑを通る幅方向に引いた仮想線Ｌ２の線上の近傍又はこれより後側に後部フラップＷＢの前側基端点Ｐを位置させることにより、後部フラップＷＢ及び後部フラップ用粘着剤層２２が確実に臀部に対応する位置に形成されるようになる。
【００４６】
ところで、前記後部フラップ用粘着剤層２２は、図２〜図７に示されるように、本体部分から後部フラップＷＢにかけて連続的又は離散的に種々のパターンで形成することができる。前記連続的パターンとしては、図２の本体部分から後部フラップＷＢにかけてほぼ等幅の帯状に形成したもの、図３の本体部分から後部フラップＷＢにかけて漸次拡幅する三角形状に形成したもの、図４の本体部分から後部フラップＷＢにかけて漸次縮幅する逆三角形状に形成したもの、図５の本体部分から後部フラップＷＢにかけて略ハート形に形成したものなどが例示できる。前記離散的パターンとしては、図６の円形状、図７の方形状などの複数のドットを本体部分から後部フラップＷＢに亘る所定の領域内に形成したものが例示できる。
【００４７】
前記連続的パターンは下着に対する固定が連続的に行われる点で好ましく、また後部フラップＷＢ側に漸次拡幅する図３及び図５に示されるパターンでは変形が生じやすい後部フラップＷＢを広範囲に下着に固定できる点で好ましく、逆に本体部分側に漸次拡幅する図４に示されるパターンでは臀部の動きの影響を受けやすい本体部分を広範囲に下着に固定できる点で好ましい。また、前記離散的パターンは製造工程のライン化が可能、資材の節約が可能及び接着力の調整が容易という点で好ましい。
【００４８】
前記後部フラップＷＢは、生理用ナプキン１を個装する際に表面シート３側に折り返す腹折り可能な幅で形成することが好ましい。すなわち、個装時には、図８及び図９に示されるように、本体用粘着剤層２０…が１枚の本体用剥離材３０によって覆われるとともに、ウイング用粘着剤層２１、２１が幅方向に横断する１枚のウイング用剥離材３１によって覆われ、後部フラップ用粘着剤層２２、２２が幅方向に横断する１枚の後部フラップ用剥離材３２によって覆われている。ここで、前記ウイング用剥離材３１は、ウイング状フラップＷより前側の所定位置まで延在して設けられ、その外周はナプキン本体の周縁に沿って切断されることが好ましい。前記後部フラップ用剥離材３２も同様に、後部フラップＷＢより前側の所定位置まで延在して設けられ、その外周はナプキン本体の周縁に沿って切断されることが好ましい。また、前記本体用剥離材３０、ウイング用剥離材３１及び後部フラップ用剥離材３２は、後述の包装シート３５とそれぞれ固着される。
【００４９】
このように剥離材が配設された生理用ナプキン１を個装するには、一方のウイング状フラップＷを本体部分の側部外周フラップ８側縁を結ぶ位置に設定された折り畳み線ＲＬで、ウイング用剥離材３１と共に表面シート３側に折り畳んだ後、他方のウイング状フラップＷを本体部分の側部外周フラップ８側縁を結ぶ位置に設定された折り畳み線ＲＬで、ウイング用剥離材３１とともに表面シート３側に折り畳む。
【００５０】
同様に後部フラップＷＢ、ＷＢも折り畳み線ＲＢ、ＲＢにて後部フラップ用剥離材３２とともに表面シート３側に折り畳むが、このとき後部フラップＷＢでは後部フラップ用粘着剤層２２が前記折り畳み線ＲＢを跨ぐように本体部分から後部フラップＷＢにかけて配設されているため、この折り畳み線ＲＢで後部フラップ用粘着剤層２２が折り畳まれるようになる（図９参照）。
【００５１】
この場合、前記ウイング状フラップＷ、Ｗ、後部フラップＷＢ、ＷＢを透液性表面シート３側に単に折り畳んだだけでは、形状が安定せず前記ウイング状フラップＷ、Ｗ、後部フラップＷＢ、ＷＢが浮き上がったり、バタツキが生じ、ライン搬送時に位置ズレや絡みなどの原因となることがある。そこで、操業を安定化するために、前記ウイング状フラップＷ、後部フラップＷＢが透液性表面シート３側に前記ウイング用剥離材３１と共に折り畳まれた状態を保持するようにすることができる。具体的には、前記透液性表面シート３側に折り畳まれた前記ウイング状フラップＷ、Ｗの先端部同士が重なるようにするとともに、該重なり部分でウイング状フラップＷ、Ｗ同士が、一方のウイング状フラップＷの先端裏面側（又は表面側）に設けられた仮止め粘着剤層３３によって、同図９に示されるように直接的に接着し仮止めすることが好ましい。同様に後部フラップＷＢ、ＷＢも仮止め粘着剤層３４によって接着し仮止めすることが好ましい。従って、前記ウイング状フラップＷ、Ｗの先端間距離と後部フラップＷＢ、ＷＢの先端間距離はほぼ同等に形成されることが好ましい。具体的には、各フラップの先端間距離は最大で１８０ｍｍ程度とすることが好ましい。
【００５２】
前記ウイング状フラップＷ、Ｗをウイング用剥離材３１と共に、前記後部フラップＷＢを後部フラップ用剥離材３２と共に、表面側に夫々折り畳んだならば、個装シート３５により生理用ナプキン１を個装する。
【００５３】
個装方法は、図９に示されるように、幅寸法がナプキン１の展開幅（ウイング状フラップＷ、Ｗ、後部フラップＷＢ、ＷＢの先端間距離）よりも幅狭で、ウイング状フラップＷ、Ｗ、後部フラップＷＢ、ＷＢの折り畳み状態よりも幅広とされる所定長さの個装シート３５を用い、少なくとも個装シート３５の一方側短辺３５ｂがナプキン１の前後端部の一方より外側に位置させるように個装シート３５上にナプキン１を配置するとともに、前記個装シート３５と、少なくともウイング用剥離材３１及び後部フラップ用剥離材３２とをホットメルト接着剤等により、所定の固着領域で堅固に固着する。望ましくは前記個装シート３５と本体用剥離材３０、ウイング用剥離材３１及び後部フラップ用剥離材３２とをホットメルト接着剤等により堅固に固着する。
【００５４】
その後、折り線(1)位置にてナプキン後端部側を折り畳んだならば、折り線(2)位置にてナプキン前端部側を折り畳み、個装シート３５の開口した側縁部分をエンボス圧着、加熱融着、接着剤等、適宜の封鎖手段の単独または組み合わせによって封鎖するようにする。また、個装シート３５の前後方向端縁３５ｂは、接着剤により接合した後、好ましくはタブテープ３６により封止する。ここで、前記折り線(2)より後側に後部フラップＷＢを設けることが好ましい。
【００５５】
〔他の形態例〕
(1)上記形態例では、前記臀部溝対応エンボス１２は１箇所に設けられているが、図１０に示されるように、排血口対応エンボス１０より離間した後側の範囲に長手方向に沿って２箇所以上設けられるようにしても良い。この場合、最も前側に位置する臀部溝対応エンボス１２の長手方向中心線ＣＬ上の基点Ｑを通る幅方向に沿って引いた仮想線Ｌ２の線上又はこれより後側に後部フラップＷＢの前側基端点Ｐを位置させることが好ましい。
【００５６】
(2)上記形態例では、後部フラップＷＢは、生理用ナプキン１の本体部分から外方に延びる前側外形線と、本体部分から外方に延びる後側外形線とを有し、前記生理用ナプキン１の幅方向線と前記前側外形線との成す角度よりも前記生理用ナプキン１幅方向線と前記後側外形線との成す角度の方が大きく設定された略三角形状の平面形状を有するように形成したが、図１１に示されるように、ウイング状フラップＷ、Ｗの後側基端部から両側に円弧状に膨出させた形状のものでもよい。この場合、後部フラップＷＢの前側基端点Ｐは、図示例のようにウイング状フラップＷとの境界部分となる。
【００５７】
(3)上記形態例では、後部フラップ用粘着剤層２２は、両側部にそれぞれ１箇所ずつ形成されるように図示されていたが、図１１に示されるように、両側部にそれぞれ生理用ナプキン１の長手方向にほぼ平行するように２箇所以上形成されるようにしてもよい。
【００５８】
(4)上記形態例では、本体用粘着剤層２０は、図２に示されるように、前側に３本、後側に２本設けられるように図示されていたが、図１１に示されるように、後側２本の本体用粘着剤層２０を設けないようにすることができる。これにより、ナプキン本体部分の後側部分が臀部溝対応エンボス１２を可撓軸として臀部の形状に沿って変形しやすくなる。
【符号の説明】
【００５９】
１…生理用ナプキン、２…裏面シート、３…表面シート、４…吸収体、５…クレープ紙、６…吸収要素、７…サイド不織布、８…フラップ部、１０…排血口対応部エンボス、１１…前側部エンボス、１２…臀部溝対応エンボス、１２ａ…略逆Ｖ字形状部分、１３…臀部潰れ対応エンボス、２０…本体用粘着剤層、２１…ウイング用粘着剤層、２２…後部フラップ用粘着剤層、Ｐ…前側基端点、Ｗ…ウイング状フラップ、ＷＢ…後部フラップ
【図１】
0005520630.tif 000002
【図２】
0005520630.tif 000003
【図３】
0005520630.tif 000004
【図４】
0005520630.tif 000005
【図５】
0005520630.tif 000006
【図６】
0005520630.tif 000007
【図７】
0005520630.tif 000008
【図８】
0005520630.tif 000009
【図９】
0005520630.tif 000010
【図１０】
0005520630.tif 000011
【図１１】
0005520630.tif 000012